(57)【特許請求の範囲】
【請求項１】
長手方向に１つまたは複数の孔を有し、媒体を搬送する複数本のベルトと、前記ベルトを懸架する少なくとも２個の回転ローラと、底面に吸入孔を有し、前記底面上を前記ベルトが摺動する溝、および前記媒体が摺動する媒体摺動面を備えた吸着板と、この吸着板と一体的にまたは個別に形成され、内部に空間を形成する排気室と、前記排気室内を排気し、前記吸入孔およびベルトの孔を通して媒体を前記吸着板およびベルトに吸着させる手段とを具備し、前記吸着板の媒体摺動面は、前記複数本のベルトの間に形成されるとともに、前記溝内のベルトの媒体搬送面と略同一平面を形成し、前記吸着板の媒体摺動面に、前記排気室の内部空間に通ずる媒体吸引孔が設けられていることを特徴とする紙葉類搬送装置。
【請求項２】
前記媒体吸引孔は、前記吸着板の媒体摺動面に形成された溝の底部に設けられている請求項１に記載の紙葉類搬送装置。
【請求項３】
前記排気室は、前記吸入孔に連通する第１の内部空間と、前記媒体吸引孔に連通する第２の内部空間とに区分され、共通の吐出孔により排気されることを特徴とする請求項１に記載の紙葉類搬送装置。
【請求項４】
前記排気室は、前記吸入孔に連通する第１の内部空間と、前記媒体吸引孔に連通する第２の内部空間とに区分され、これら第１および第２の内部空間は、それぞれ異なる吐出孔により排気されることを特徴とする請求項１に記載の紙葉類搬送装置。
【請求項５】
前記吸入孔は、媒体が進入する方向から排出する方向にかけて小さくなるような涙滴一体形状を有することを特徴とする請求項１に記載の紙葉類搬送装置。
【発明の詳細な説明】
【０００１】
【発明が属する技術分野】
本発明は、紙葉類搬送装置に係り、特に、改良された片面搬送部を備えた紙葉類搬送装置に関する。
【０００２】
【従来の技術】
一般に、紙葉類を搬送する装置においては、上下２本のエンドレスベルトを用いて紙葉類を挟んで搬送する挾持搬送（両面搬送）方式を使用することが多い。しかし、場合によっては、その途中に、片面搬送部と呼ばれる１本のエンドレスベルトを用いて搬送する部分を設ける必要が生ずることがある。
【０００３】
従来の片面搬送部は、２本のエンドレスベルトにより挾持搬送中に、そのうちの１本のエンドレスベルトを無くし、残りの１本のエンドレスベルトのみで搬送している部分である。これは、片面搬送の直前で上下２本のうち１本のエンドレスベルトを搬送ローラを用いて搬送面から逃がし、また片面搬送の直後に、搬送ローラにより１本のエンドレスベルトを入れ込むことにより、再び２本のエンドレスベルトにより紙葉類を挾持搬送するものであった。
【０００４】
このように構成される片面搬送部では、時には搬送している紙葉類がエンドレスベルトからの離れ、脱落等を生ずるため、それを防止するため、片側搬送部の２本の搬送ローラ間の一部をガイド等で抑え込んでいた。
【０００５】
【発明が解決しようとする課題】
片面搬送部を有する紙葉類搬送装置では、片面搬送部において搬送されている紙葉類が不安定となることが最大の問題点である。これにはいくつかの原因が考えられる。
【０００６】
まず１つ目の原因は、紙葉類の片側のみにしかエンドレスベルトがないため、エンドレスベルトがない方向には紙葉類が自由にエンドレスベルトから離れ得ることである。２つ目の原因は、紙葉類のエンドレスベルトからの離れを押さえるため、ガイド等を装着するが、エンドレスベルトとの間隔が狭いと、紙葉類に接触抵抗を生み、紙葉類の停滞を発生させ、広すぎると目的の離れる量を小さくすることができないことである。また、ガイドの調整も困難である。
【０００７】
３つ目の原因は、片側にあるエンドレスベルト自身が横波振動して揺れているため、紙葉類がその影響を受け、振動するということである。
本発明は、上記事情を考慮してなされ、片面搬送部においても、紙葉類がベルトから離れることがなく、かつ紙葉類の停滞が生ずることなく、安定して紙葉類を搬送することを可能とする紙葉類搬送装置を提供することにある。
【０００８】
【課題を解決するための手段】
上記課題を解決するため、本発明は、長手方向に１つまたは複数の孔を有し、媒体を搬送する複数本のベルトと、前記ベルトを懸架する少なくとも２個の回転ローラと、底面に吸入孔を有し、前記底面上を前記ベルトが摺動する溝、および前記媒体が摺動する媒体摺動面を備えた吸着板と、この吸着板と一体的にまたは個別に形成され、内部に空間を形成する排気室と、前記排気室内を排気し、前記吸入孔およびベルトの孔を通して媒体を前記吸着板およびベルトに吸着させる手段とを具備し、前記吸着板の媒体摺動面は、前記複数本のベルトの間に形成されるとともに、前記溝内のベルトの媒体搬送面と略同一平面を形成し、前記吸着板の媒体摺動面に、前記排気室の内部空間に通ずる媒体吸引孔が設けられていることを特徴とする紙葉類搬送装置を提供する。
【０００９】
以上のように構成される本発明の紙葉類搬送装置によると、片側搬送部において、吸着板に設けられた、底部に吸入孔を有する溝内をベルトが摺動し、そのベルトにも孔が設けられ、吸入孔およびベルトの孔を通して搬送媒体である紙葉類が吸着されるため、紙葉類がベルト上から離れることがない。また、ベルトは吸着板の溝内を摺動するため、横波振動しにくくなり、そのため搬送中の紙葉類も振動しにくくなる。
【００１０】
このように、本発明の紙葉類搬送装置によると、吸着されたまま紙葉類が搬送されるため、従来必要であったガイド等が不要となり、紙葉類の停滞や搬送不能が生じなくなる。また、ガイドがないため、その調整も不要となる。
【００１１】
また、ベルトの媒体搬送面と吸着板の媒体摺動面とは、略同一平面を形成しているため、紙葉類の安定した搬送が可能である。
本発明の紙葉類搬送装置には、以下に示す種々の具体的態様がある。
【００１２】
（１）吸着板の媒体摺動面に、排気室の内部空間に通ずる媒体吸引孔が設けられていること。
（２）媒体吸引孔は、吸着板の媒体摺動面に形成された溝の底部に設けられていること。
【００１３】
（３）排気室は、吸入孔に連通する第１の内部空間と、媒体吸引孔に連通する第２の内部空間とに区分され、共通の吐出孔により排気されること。
（４）排気室は、吸入孔に連通する第１の内部空間と、媒体吸引孔に連通する第２の内部空間とに区分され、これら第１および第２のの内部空間は、それぞれ異なる吐出孔により排気されること。
【００１４】
（５）吸入孔は、複数の孔からなること。
（６）吸入孔は、媒体搬送方向に細長い１つの孔からなること。
（７）吸入孔は、媒体が進入する方向から排出する方向にかけて小さくなるような涙滴一体形状を有すること。
【００１５】
吸入孔が小さな複数の孔からなる場合には、吸気が複数の孔を通して間欠的に行われるため、騒音が生じ易いが、上記（６）のように、吸入孔が媒体搬送方向に細長い１つの孔からなる場合、特に、上記（７）のように、媒体が進入する方向から排出する方向にかけて小さくなるような涙滴一体形状である場合には、吸気による騒音を大幅に低減することが出来る。
【００１６】
（８）媒体吸引孔は、媒体摺動面に形成された溝の底面に設けられていること。
（９）媒体摺動面に向けて空気を噴出するように配置された噴気ノズルを更に具備すること。
【００１７】
このように、噴気ノズルを設けて、媒体摺動面に向けて空気を噴出することにより、紙葉類の浮き上がりを防止し、または浮き上がりを平滑化させ、更に安定した搬送が可能となる。
【００１８】
【発明の実施の形態】
以下、図面を参照して、本発明の実施の形態について説明する。
図１は、本発明の紙葉類搬送装置の片面搬送部を示す斜視図、図２は、片面搬送部の一部を抜き出して示す斜視図、図３は、片面搬送部の正面図である。片面搬送部は、図３に示すように、２本のエンドレスベルト４，１５および５，１６の挾持搬送（両面搬送）の途中にあり、挾持搬送−片面搬送−挾持搬送という搬送順序のサンドイッチ構造をとっている。
【００１９】
図１〜３に示すように、紙葉類搬送装置の片面搬送部は、内部に空洞を有し、内部の空気を外部へ吐出する吐出孔２ｂを有するエアチャンバ２と、エアチャンバ２に取り付け、組み合わせることにより内部に空間を形成し、また、空気を吸い込む吸入孔１ｄを有する吸着板１と、吸着板１の外部表面（摺動面）１ａを摺動し、吸入孔１ｄを通じて、孔３ａから空気を吸い込む孔明きベルト３と、図示しない吸引機と、吸引機とエアチャンバ２の吐出孔２ｂをつなぐ図示しないホールとから構成される。
【００２０】
このように構成される片面搬送部の動作に際しては、まず、吸引機により空気を吸引することにより、ホースを通じてエアチャンバ２と吸着板１の内部にある空間を負圧にし、吸入孔１ｄを通して最終的には孔明きベルト３の孔３ａから空気を吸い込み、紙葉類１０を吸引する力を発生させる。
【００２１】
エンドレスベルト類は、搬送ローラ６，７，８，９によりエンドレスベルト同士の接触部（媒体搬送面）を形成しながら移動しており、それぞれのエンドレスベルトは、片面搬送や挾持搬送によらず、媒体搬送面に平行に，かつ媒体搬送方向と直角方向に２本が対となって並んで配置されている。
【００２２】
孔明きエンドレスベルト３は、搬送ローラ６と搬送ローラ７の間で媒体搬送面を形成し、更に、搬送ローラ８と搬送ローラ９の間で片面搬送を構成している。エンドレスベルト４は、片側搬送部の前方に位置し、媒体搬送面で孔明きエンドレスベルト３と接触しながら紙葉類１０を挾持搬送し、その後、搬送ローラ８により媒体搬送面から外れていく。
【００２３】
逆に、エンドレスベルト５は、片側搬送部の後方に位置し、搬送ローラ９において媒体搬送面に入り込み、孔明きエンドレスベルト３と接触しながら紙葉類１０を挾持搬送していく。
【００２４】
このような搬送装置の動作により、紙葉類１０は、エンドレスベルト３，４に挾持搬送（搬送ローラ６，８間）され、その後、孔明きエンドレスベルト３に吸着されて、片面搬送（搬送ローラ８，９間）され、エンドレスベルト３，５において再び挾持搬送（搬送ローラ９，７間）されることとなる。
【００２５】
片面搬送部において、媒体搬送面と媒体摺動面１ａを略同一平面とするため、吸着板１には、孔明きエンドレスベルト３を収容することができる凹溝１ｂが設けられている。この凹溝１ｂの底面１ｃには、空気を吸い込むための吸入孔１ｄが形成されている。この凹溝１ｂの底面１ｃと孔明きエンドレスベルト３の媒体搬送面の反対面が、ほぼ隙間無しで摺動しながら（この合わせ面がエンドレスベルト摺動面）、吸入孔１ｄを通じて孔明きエンドレスベルト３の孔から空気を吸入し、この吸引圧で媒体の紙葉類１０を孔明きエンドレスベルト３上に引きつけることにより、片面搬送部での安定した搬送を実現することが出来る。
【００２６】
凹溝１ｂの底面１ｃに設けられた吸入孔１ｄの形状は、例として図示してある小判型孔が搬送方向に複数個並んでいるものの他に、小判型孔が搬送方向に長く１つになっている孔（図示せず）、図４〜図６に示すように、搬送方向の媒体が進入する方向から排出する方向にかけて小さくなるような涙滴一体形状の孔１ｄ、媒体が進入する方向から排出する方向にかけて大きくなるような涙滴一体形状の孔（図示せず）が考えられる。なお、図４および図５は、吸着板１を示す斜視図、図６は図２に対応する上面図である。
【００２７】
吸着板１の吸入孔の形状は、吸気の間欠による騒音の発生に大きく関わる要因であり、吸入孔を、図４〜図６に示すように、図涙滴一体形状の吸入孔１ｆとすることにより、騒音を低下させることができる。
【００２８】
片面搬送中の紙葉類１０の中央部が浮き上がるのを抑えるために、図４〜図７に示すように、媒体摺動面１ａに媒体吸引孔１ｅを設けることもできる。なお、図７は、吸着板１およびエアチャンバ２を示す。
【００２９】
媒体吸引孔１ｅは、吸着板１とエアチャンバ２により形成される内部空間２ｄに通じているので、吸入孔と同様、空気を吸引することができる。また、図６に示す例では、凹溝１ｂの底面１ｃにある吸入孔１ｄは内部空間２ｃにつながり、媒体吸引孔１ｅは内部空間２ｄにつながるというように、吸入孔１ｄと媒体吸引孔１ｅが独立する内部空間２ｃ，２ｄにつながって、それぞれが別々の吐出孔をを通じて排気され、空気を吸引するようになっている。
【００３０】
しかし、このような例に限らず、吸入孔１ｄと媒体吸引孔１ｅが、両者とも１つの内部空間につながり、そこから１つの共通した吐出孔を通じて排気され、空気を吸引するようにすることも出来る。
【００３１】
更に、いくつかの吸入孔１ｄといくつかの媒体吸引孔１ｅを一束にまとめ、これにつながる１つの内部空間が装置全体で複数個存在し、吐出孔を吐出孔を通じて排気し、空気を吸引するようにすることも出来る。これらの組み合わせは、全てにおいて自由である。
【００３２】
また、図４および図５に示すように、媒体吸引孔１ｅの孔の周りに座グリ１ｇを設けることにより、１つの媒体吸引孔１ｅの吸引できる範囲を孔１ｅの面積から座グリ１ｇの面積にまで拡大できる。このため、効率良く紙葉類１０の浮き上がりを防止し、１つの媒体吸引孔１ｅに紙葉類１０が密着し、閉塞することが少なくなり、空気の吸引ができる範囲を広げることができる。
【００３３】
この媒体吸引孔１ｅの座グリ１ｇは、１つの孔１ｅに１つの座グリ１ｇを設けてもよいが、図４に示すように、２つの孔を１つの座グリ１ｇでつないでもよい。また、図５に示すように、多数の孔を１ｅ１つの座グリ１ｈでつなぐことも可能である。更に、これらの座グリを複数列並べたり、凹溝で媒体吸引孔１ｅをつないだり、またはこれらを組み合わせて使用することも自由である。
【００３４】
以上のように、吸着板１については、先に挙げた凹溝底面１ｃの吸入孔の形状と媒体摺動面１ａに媒体吸引孔の形状、及び座グリの形状を適宜組合せることが可能である。また、吸着板１とエアチャンバ２は、例えば成型により一体的に製作することも可能である。
【００３５】
なお、図３に示す例では、紙葉類１０は下向きに、即ち吸着板１に上方に吸着されつつ搬送されるが、その際、紙葉類１０が不均一に吸着され、波状となるのを防止するため、吸着板１の下方に噴気ノズル２０を配置し、噴気ノズル２０から紙葉類１０に向けて空気を噴出することも可能である。
【００３６】
【発明の効果】
以上、詳細に説明したように、本発明の紙葉類搬送装置によると、片側搬送部において、吸着板に設けられた、底部に吸入孔を有する溝内をベルトが摺動し、そのベルトにも孔が設けられ、吸入孔およびベルトの孔を通して搬送媒体である紙葉類が吸着されるため、紙葉類がベルト上から離れることがない。また、ベルトは吸着板の溝内を摺動するため、横波振動しにくくなり、そのため搬送中の紙葉類も振動しにくくなる。
【００３７】
このように、本発明の紙葉類搬送装置によると、吸着されたまま紙葉類が搬送されるため、従来必要であったガイド等が不要となり、紙葉類の停滞や搬送不能が生じなくなる。また、ガイドがないため、その調整も不要となる。
【００３８】
また、ベルトの媒体搬送面と吸着板の媒体摺動面とは、略同一平面を形成しているため、紙葉類の安定した搬送が可能である。
また、吸入孔を媒体搬送方向に細長い１つの孔により構成する場合、特に、媒体が進入する方向から排出する方向にかけて小さくなるような涙滴一体形状とする場合には、吸気による騒音を大幅に低減することが出来る。
【００３９】
更に、噴気ノズルを設けて、媒体摺動面に向けて空気を噴出することにより、紙葉類の浮き上がりを防止し、または浮き上がりを平滑化させ、更に安定した搬送が可能となる。
【図面の簡単な説明】
【図１】本発明の一実施形態に係る紙葉類搬送装置の片面搬送部を示す斜視図。
【図２】図１に示す紙葉類搬送装置の片面搬送部の吸着板及びエアチャンバを示す斜視図。
【図３】本発明の一実施形態に係る紙葉類搬送装置の片面搬送部を示す正面図。
【図４】吸着板の一例を示す斜視図。
【図５】吸着板の他の例を示す斜視図。
【図６】図２に示す吸着板の上面図。
【図７】図２に示す吸着板及びエアチャンバを示す断面図。
【符号の説明】
１…吸着板、
１ａ…媒体摺動面、
１ｂ…凹溝
１ｃ…凹溝底面、
１ｄ，１ｆ…吸入孔、
１ｅ…媒体吸引孔、
１ｇ…座グリ、
１ｈ…座グリ、
２…エアチャンバ、
２ｂ…吐出孔、
２ｃ，２ｄ…媒体吸入孔用内部空間、
３…孔明きエンドレスベルト、
４，５，１５，１６…エンドレスベルト、
６，７，８，９…搬送ローラ、
１０…搬送媒体（紙葉類）。
２０…噴気ノズル。
【図１】
0003949820.tif 000002
【図２】
0003949820.tif 000003
【図３】
0003949820.tif 000004
【図４】
0003949820.tif 000005
【図５】
0003949820.tif 000006
【図６】
0003949820.tif 000007
【図７】
0003949820.tif 000008